【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
画像の特徴量に基づいて前記画像を補正するための第１のルックアップテーブルを生成する第１の生成手段と、
前記画像に含まれる特定オブジェクトの属性情報を前記第１のルックアップテーブルを用いて更新する更新手段と、
前記更新手段によって更新された属性情報に基づいて前記特定オブジェクトを補正するための第２のルックアップテーブルを生成する第２の生成手段と、
前記画像に対して前記生成された第１および第２のルックアップテーブルを適用する補間手段とを有し、
前記補間手段は、前記画像の低周波画像を用いて前記第２のルックアップテーブルの適用強度を制御することを特徴とする画像処理装置。
【請求項２】
前記画像の低周波画像は、前記画像をより低い解像度の画像に変換した低解像度画像に対して平滑化フィルタを適用することで生成されることを特徴とする請求項１に記載の画像処理装置。
【請求項３】
前記低解像度画像は、輝度情報を保持する画像であることを特徴とする請求項２に記載の画像処理装置。
【請求項４】
前記特定オブジェクトの属性情報は、前記特定オブジェクトの平均輝度値であることを特徴とする請求項１乃至３のいずれか一項に記載の画像処理装置。
【請求項５】
前記第２の生成手段は、前記更新手段によって更新された前記特定オブジェクトの平均輝度値を目標輝度値に変換する第２のルックアップテーブルを生成することを特徴とする請求項４に記載の画像処理装置。
【請求項６】
前記補間手段は、前記画像の注目画素に対応する前記低周波画像の画素の輝度値が小さいほど、前記画像の注目画素に適用される前記第２のルックアップテーブルの適用強度を大きくすることを特徴とする請求項１乃至３のいずれか一項に記載の画像処理装置。
【請求項７】
前記第１のルックアップテーブルは、前記画像のカラーバランスを補正するためのテーブルであることを特徴とする請求項１に記載の画像処理装置。
【請求項８】
前記第２のルックアップテーブルは、前記画像に含まれる特定オブジェクトの明るさを補正するためのテーブルであることを特徴とする請求項１に記載の画像処理装置。
【請求項９】
前記第２の生成手段は、前記更新された属性情報と前記画像の低周波画像とを用いて前記第２のルックアップテーブルを生成することを特徴とする請求項１に記載の画像処理装置。
【請求項１０】
前記第１のルックアップテーブルと前記第２のルックアップテーブルは、その格子点数やテーブルのビット精度が相異なることを特徴とする請求項１に記載の画像処理装置。
【請求項１１】
前記第２のルックアップテーブルのビット数は、前記第１のルックアップテーブルのビット数よりも大きいことを特徴とする請求項１に記載の画像処理装置。
【請求項１２】
前記第２のルックアップテーブルの格子点数は、前記第１のルックアップテーブルの格子点数よりも大きいことを特徴とする請求項１に記載の画像処理装置。
【請求項１３】
前記特定オブジェクトは、人物の顔であることを特徴とする請求項１に記載の画像処理装置。
【請求項１４】
前記ルックアップテーブルは、多次元ルックアップテーブルであることを特徴とする請求項１乃至１３のいずれか一項に記載の画像処理装置。
【請求項１５】
前記ルックアップテーブルは、RGB成分による３次元ルックアップテーブルであることを特徴とする請求項１に記載の画像処理装置。
【請求項１６】
画像の特徴量に基づいて前記画像を補正するための第１のルックアップテーブルを生成する第１の生成工程と、
前記画像に含まれる特定オブジェクトの属性情報を前記第１のルックアップテーブルを用いて更新する更新工程と、
前記更新工程によって更新された属性情報に基づいて前記特定オブジェクトを補正するための第２のルックアップテーブルを生成する第２の生成工程と、
前記画像に対して前記生成された第１および第２のルックアップテーブルを適用する補間工程とを有し、
前記補間工程は、前記画像の低周波画像を用いて前記第２のルックアップテーブルの適用強度を制御することを特徴とする画像処理方法。
【請求項１７】
前記画像の低周波画像は、前記画像をより低い解像度の画像に変換した低解像度画像に対して平滑化フィルタを適用することで生成されることを特徴とする請求項１６に記載の画像処理方法。
【請求項１８】
前記低解像度画像は、輝度情報を保持する画像であることを特徴とする請求項１７に記載の画像処理方法。
【請求項１９】
前記特定オブジェクトの属性情報は、前記特定オブジェクトの平均輝度値であることを特徴とする請求項１６乃至１８のいずれか一項に記載の画像処理方法。
【請求項２０】
前記第２の生成工程は、前記更新工程によって更新された前記特定オブジェクトの平均輝度値を目標輝度値に変換する第２のルックアップテーブルを生成することを特徴とする請求項１９に記載の画像処理方法。
【請求項２１】
前記補間工程は、前記画像の注目画素に対応する前記低周波画像の画素の輝度値が小さいほど、前記画像の注目画素に適用される前記第２のルックアップテーブルの適用強度を大きくすることを特徴とする請求項１６乃至１８のいずれか一項に記載の画像処理方法。
【請求項２２】
前記第１のルックアップテーブルは、前記画像のカラーバランスを補正するためのテーブルであることを特徴とする請求項１６に記載の画像処理方法。
【請求項２３】
前記第２のルックアップテーブルは、前記画像に含まれる特定オブジェクトの明るさを補正するためのテーブルであることを特徴とする請求項１６に記載の画像処理方法。
【請求項２４】
前記第２の生成手段は、前記更新された属性情報と前記画像の低周波画像とを用いて前記第２のルックアップテーブルを生成することを特徴とする請求項１６に記載の画像処理方法。
【請求項２５】
前記第１のルックアップテーブルと前記第２のルックアップテーブルは、その格子点数やテーブルのビット精度が相異なることを特徴とする請求項１６に記載の画像処理方法。
【請求項２６】
前記第２のルックアップテーブルのビット数は、前記第１のルックアップテーブルのビット数よりも大きいことを特徴とする請求項１６に記載の画像処理方法。
【請求項２７】
前記第２のルックアップテーブルの格子点数は、前記第１のルックアップテーブルの格子点数よりも大きいことを特徴とする請求項１６に記載の画像処理方法。
【請求項２８】
前記特定オブジェクトは、人物の顔であることを特徴とする請求項１６に記載の画像処理方法。
【請求項２９】
前記ルックアップテーブルは、多次元ルックアップテーブルであることを特徴とする請求項１６乃至２８のいずれか一項に記載の画像処理方法。
【請求項３０】
前記ルックアップテーブルは、RGB成分による３次元ルックアップテーブルであることを特徴とする請求項１６に記載の画像処理方法。
【請求項３１】
請求項１乃至１５のいずれか一項に記載の画像処理装置の各手段としてコンピュータを機能させるためのプログラム。
【手続補正２】
【補正対象書類名】明細書
【補正対象項目名】００１６
【補正方法】変更
【補正の内容】
【００１６】
上記課題を解決するために、本発明は、画像の特徴量に基づいて前記画像を補正するための第１のルックアップテーブルを生成する第１の生成手段と、前記画像に含まれる特定オブジェクトの属性情報を前記第１のルックアップテーブルを用いて更新する更新手段と、前記更新手段によって更新された属性情報に基づいて前記特定オブジェクトを補正するための第２のルックアップテーブルを生成する第２の生成手段と、前記画像に対して前記生成された第１および第２のルックアップテーブルを適用する補間手段とを有し、前記補間手段は、前記画像の低周波画像を用いて前記第２のルックアップテーブルの適用強度を制御することを特徴とする画像処理装置を提供する。
他の発明は、上記画像処理装置における画像処理方法、及び該方法を実行するためのプログラムを記憶した記憶媒体に関するものである。